(57)【要約】      （修正有）【課題】エアポンプの動作音の防音性能を向上して、静かに快適にマッサージを受けることのできるマッサージ機を提供する。【解決手段】被施療部にマッサージを与えるエアバックに空気を供給するエアポンプ２０を、椅子の座部の下方空間に配置した椅子式マッサージ機で、エアポンプ２０を防音用クッション材６０で包む。エアポンプ２０は取付脚を具え、防音用クッション材６０は取付脚を通すための穴６４を有し、取付脚６０を穴に通した上で取付板５０上に装着する。防音用クッション材６０により、エアポンプ２０の動作音の伝播を大幅に抑えることができると共に、振動も吸収できる。【選択図】図６
2007190171.tif 000002
【特許請求の範囲】
【請求項１】
空気の供給による膨張と空気の排気による収縮を繰返すことにより被施療部にマッサージを与えるエアバックを具え、エアバックに空気を供給するエアポンプを椅子の座部の下方空間に配置した椅子式マッサージ機において、エアポンプを防音用クッション材で包んだことを特徴とする椅子式マッサージ機。
【請求項２】
前記エアポンプは取付脚を具え、前記防音用クッション材は取付脚を通すための穴を有し、取付脚を前記孔に通した上で取付板上に装着することにより、防音用クッション材で包まれたエアポンプを取付板上に設置してなる請求項1に記載の椅子式マッサージ機。  
【請求項３】
前記防音用クッション材は帯状をしており、エアポンプをマッサージ機の前後方向に包んだ請求項1又は請求項２に記載の椅子式マッサージ機。
【請求項４】
空気の供給による膨張と空気の排気による収縮を繰返すことにより被施療部にマッサージを与えるエアバックを具え、エアバックに空気を供給するエアポンプを、防音用クッション材で包んだことを特徴とするマッサージ機。
【発明の詳細な説明】
【技術分野】
【０００１】
本発明は、膨張と収縮を繰返すエアバックによりマッサージするマッサージ機に関する。マッサージ機としては、座部や背凭れ部を有する椅子式マッサージ機の他、脚部だけをマッサージするマッサージ機やベッド式マッサージ機でもよい。
【背景技術】
【０００２】
従来、座部や背凭れ部を有する椅子式マッサージ機で、膨張と収縮を繰返すエアバックによりマッサージするものは、エアバックに空気を供給するエアポンプを、座部の下方空間に配置している（例えば特許文献１参照）。エアポンプとしては、特許文献２にみられるような、電磁振動型ポンプが広く用いられている。
【特許文献１】特開２００５−２１１２０１号公報
【特許文献２】特許第２６０９０６６号公報
【発明の開示】
【発明が解決しようとする課題】
【０００３】
エアポンプの動作音は大きく、静かな室内での使用に際には、不快感を覚えるものである。そこで特許文献１のマッサージ機では、防音するためにエアポンプを鉄板製のカバーにより覆っている。
【０００４】
しかしながら、エアポンプと鉄板製カバーとの間はかなり大きな隙間があり、充分に動作音を遮蔽することはできず、不快感を解消するまでには至らなかった。
【０００５】
本発明の目的は、エアポンプの動作音の防音性能を向上して、静かに快適にマッサージを受けることのできるマッサージ機を提供することである。
【課題を解決するための手段】
【０００６】
上記課題を解決するために、請求項１に係わる発明は、空気の供給による膨張と空気の排気による収縮を繰返すことにより被施療部にマッサージを与えるエアバックを具え、エアバックに空気を供給するエアポンプを椅子の座部の下方空間に配置した椅子式マッサージ機において、エアポンプを防音用クッション材で包んだものである。
【０００７】
また請求項２に係わる発明は、請求項１に係わる発明に加えて、エアポンプは取付脚を具え、防音用クッション材は取付脚を通すための穴を有し、取付脚を前記孔に通した上で取付板上に装着することにより、防音用クッション材で包まれたエアポンプを取付板上に設置したものである。
【０００８】
また請求項３に係わる発明は、請求項１に係わる発明に加えて、防音用クッション材は帯状をしており、エアポンプをマッサージ機の前後方向に包んだものである。
【発明の効果】
【０００９】
請求項１に係わる発明によれば、エアポンプを防音用クッション材で直接包み込んでいるので、エアポンプの動作音の伝播を大幅に抑えることができ、静かで快適にマッサージを受けることができる。
【００１０】
請求項２に係わる発明によれば、防音用クッション材は、エアポンプを取付板上に装着する際にエアポンプの取付脚によって同時に装着することができ、エアポンプに接着剤で貼り付けたり、テープで貼り付けたりする必要はなく、作業性を向上できる。また、エアポンプと取付板との間に防音用クッション材が介在されるので、エアポンプの動作時における振動を吸収して取付板に伝播するのを抑制することができる。
【００１１】
請求項３に係わる発明によれば、帯状の防音用クッション材を、エアポンプの前後方向に包み込むというだけで、効果的にエアポンプの動作音を防音することができる。椅子式マッサージ機においては、座部下方の左右両側は、通常上記特許文献１のマッサージ機のように塞がっているのに対して、座部下方の前後方向（特に後方）は、開放されているのが一般的であり、この開放されている側から動作音が周囲へ漏れやすいところ、請求項３のように、防音用クッション材をエアポンプの前後方向に包み込むことにより、座部下方の開放された側からの動作音の漏れを防止でき、効果的な防音を行えるものである。
【発明を実施するための最良の形態】
【００１２】
以下、本発明を図に説明する。ここで便宜上、椅子に座った被施療者の右手側を右方、左手側を左方、胸側を前方、背中側を後方とする。図１は椅子式マッサージ機１の右前方から見た斜視図、図２は同マッサージ機の左後方から見た斜視図で、後述する左側の側板８を外した状態である。
【００１３】
椅子式マッサージ機１は、被施療者が腰掛ける座部２の後方に背凭れ部３、前方に被施療者のふくらはぎを載置するふくらはぎ載置部４とふくらはぎ載置部４の下端に連結される被施療者の足先を置く足先載置部５からなるフットレスト６、左右のアームレスト７、アームレスト７が取付けられる左右の側板８、これら座部２、背凭れ部３、フットレスト６、側板８等を支持する角材やパイプ材からなるフレーム構造９を具えて構成される。
【００１４】
背凭れ部３は、座部２に対して起倒可能且つ任意の位置で位置決め可能に連結される。ふくらはぎ載置部４は、座部２の前方に上下に回動自在に且つ任意の位置で位置決め可能に連結される。また足先載置部５は、ふくらはぎ載置部４に回動自在に連結される。
【００１５】
背凭れ部３内には、被施療者の肩、背中、腰等を揉んだり叩いたりする公知のマッサージ装置（図示せず）が、背凭れ部３に沿って昇降可能に配備される。また背凭れ部３の上部には枕９１が取り付けられている。座部２の下方空間の前方は化粧カバー９０で覆われている。化粧カバー９０は、補強のため水平方向に複数の突部が形成されている。背凭れ部３内のマッサージ装置としては、エアポンプからの空気の供給による膨張と空気の排気による収縮を繰り返すことにより被施療部にマッサージを与えるエアバックを用いたものでもよい。
【００１６】
ふくらはぎ載置部４は、図１に示すように、被施療者の左右のふくらはぎを夫々挿入する一対の樋状凹部１０、１０を有している。各樋状凹部１０の内側面には、ふくらはぎを側面から押圧する側面エアバック（ふくらはぎ載置部４全体を覆う布カバーにより隠れて見えない）が配備され、この側面エアバックは、エアポンプ２０（図４参照）からの空気の供給を受けることにより膨張して、ふくらはぎを側方から押圧し、供給された空気を排気することにより収縮して押圧を解除し、この膨張収縮を繰り返すことによりふくらはぎをマッサージする。
【００１７】
足先載置部５も、図１に示すように、被施療者の左右の足先（踝よりも先の部分）を夫々挿入する一対の樋状凹部１１、１１を有している。各樋状凹部１１の内側面には、足先を側面から押圧する側面エアバック（足先載置部５全体を覆う布カバーにより隠れて見えない）が配備され、この側面エアバックも、エアポンプ２０からの空気の供給を受けることにより膨張して、足先を側方から押圧し、供給された空気を排気することにより収縮して押圧を解除し、この膨張収縮を繰り返すことにより足先をマッサージする。
【００１８】
図２において、２１は、座部２の裏面のフレーム９と背凭れ部３の下端間に設けられた背凭れ部３を起倒させる周知のガススプリングよりなる起倒装置で、伸びると背凭れ部３を起こし、縮むと背凭れ部３を倒す。２２は、フットレスト６と下側のフレーム９との間に設けられた周知のガススプリングよりなる回動装置で、伸びるとフットレスト６を上方へ回動して持ち上げ、縮むと下方へ回動して図１の状態に戻すものである。フットレスト６が回動しても足先載置部５は略水平状態を保ったまま持ち上げられる。
【００１９】
座部２は、その高さが図の如く後方より前方が高くなっており、この座部２の下方前方空間の右寄りには、背凭れ部３やフットレスト６内のマッサージ装置やエアバックを電気的に制御する回路基板２３や電子部品２４、さらには前記エアポンプ２０や電磁弁２５等を内蔵した制御ボックス２６が配置されている。制御ボックス２６は、図３や図４に示す如く、上下２段構造になっている。
【００２０】
下側のボックス２７は、下側のフレーム９上に取り付けられた取付板５０と、取付板５０上に取り付けられ、エアポンプ２０等を囲む鋼板製の第１カバー５１より構成される。下側ボックス２７の内部に、前記エアポンプ２０や、エアポンプ２０から前記側面エアバックへの空気供給路に介在されて側面エアバックへの空気の供給及び側面エアバックからの空気の排気を制御する複数の電磁弁２５や、トランス２８等が配置されている。エアポンプ２０は、後述するように、防音用クッション材６０を介して取付板５０上に取り付けられている。エアポンプとしては、電磁振動型のものが用いられる。
【００２１】
上側のボックス２９は、第１カバー５１の天面３０と、天面３０上に取り付けられる樹脂製の第２カバー３１より構成され、内部に、電子部品２４を搭載した回路基板２３が天面３０から浮かせた状態で天面３０に取り付けられている。
【００２２】
このように制御ボックス２６を上下２段構造にすることにより、設置スペースを最小限に抑えることができ（本実施例では座部２の下方空間の前方右側に寄せることができ）残りのスペースに、背凭れ部３やフットレスト６を回動させるガススプリング２１、２２を無理なく配置できる。また制御ボックス２６の高さは高くなるが、座部２の下方空間のうち高さの高くなった前方に配置しているので、無理なく配置することができる。
【００２３】
前記上側のボックス２９からは、回路基板２３上の複数のコネクタと接続された配線コード群３３が外部へ引き出され、マッサージ装置のモータ等からなるマッサージ駆動部に接続される。第２カバー３１には、配線コード群３３を引き出すための引出口３４が形成される。この引出口３４は、第２カバー３１の下端より（前記天面３０側より）切り欠いて形成される。
【００２４】
天面３０上の引出口３４内に位置する箇所には、図５に示すような樹脂製のホルダー３５が取り付けられている。ホルダー３５は、その下端２箇所より突接した突起３６を天面３０に設けた穴に嵌め込んで位置決したのち、ネジ３７で天面３０に取り付けられる。ホルダー３５の回路基板２３側には、回路基板２３より高い位置までコード載置壁３８が突設されている。（図４の円内拡大図参照）またホルダー３５の下面には、コードバンド３９のガイド溝４０が形成されている。（図５参照）
配線コードは束にしてホルダー３５にコードバンド３９でもって固定され、一つの配線コード群３３となる。コードバンド３９はホルダー３５下面の溝４０に嵌っているので、ずれることはない。そして第２カバー３１を天面３０上に取り付ける。この際、ホルダー３５は引出口３４内に位置する。つまり、配線コード群３３は、ホルダー３５と引出口３４より構成される狭い空間を通って引き出される。
【００２５】
このような構成にしたことにより、引出口３４からカバー３１内への手指の侵入がホルダー３５によって阻止でき、回路基板２３や電子部品２４に触わることはできず、安全性を確保することができる。
【００２６】
またホルダー３５に、配線コード群３３を締結部材であるコードバンド３９によって固定しているので、配線コード群３３を引っ張ってもホルダー３５で受け止めることができ、配線コードがコネクタから外れることを防止できる。
【００２７】
図６は第1カバー５１を除いた状態の取付板５０を示し、取付板５０には、前記エアポンプ２０、複数の電磁弁２５、複数のトランス２８等が装着されている。エアポンプ２０は、２本のエア吐出ホース６１、６１を有し、これらはジョイントピース６２に接続されて一つになり、図示しないサージタンクを介して電磁弁２５の入口２５ａに接続される。各電磁弁２５の出口２５ｂが夫々エアバックに接続されている。図６では、複数の出口２５ｂのうち一つだけ、エアバックへの接続ホース２５ｃを図示している。
【００２８】
而して、エアポンプ２０は、図の如く、スポンジ等からなる防音用クッション材６０で包み込まれている。クッション材６０は帯状のもので、座部２の前後方向（マッサージ機の前後方向）にエアポンプ２０を包み込んでいる。図６で、左下方向が前方、右上方向が後方になる。
【００２９】
詳述するに、エアポンプ２０の下面には、４本の段付クッションからなる取付脚６３を具え、防音用クッション材６０の両端部には、取付脚６３を通すための穴６４を有し、防音用クッション材６０をエアポンプ２０に巻き付ける際に、前記孔６４に取付脚６３を通し、その上で、取付脚６３を取付板５０に形成した挿入孔６５に挿入し、段付クッション６３の段部６３ａに挿入孔６５の周縁を係着することにより、防音用クッション材６０で包まれたエアポンプ２０を取付板５０上に取り付けている。図７は、防音用クッション材６０で包み込んだ状態のエアポンプ２０を取付板５０上へ取り付ける前の状態を示す。
【００３０】
このように防音用クッション材６０は、エアポンプ２０を取付板５０上に装着する際に、エアポンプの取付脚６３によって同時に装着することができる。従って、防音用クッション材６０をエアポンプ２０に接着剤で貼り付けたり、テープで貼り付けたりする必要はなく、作業性を向上できる。
【００３１】
ところで、エアポンプ２０の動作音の周囲への伝播は、エアポンプ２０を鋼板製の第１カバー５１で覆うことにより、ある程度は軽減されるが、さらにエアポンプ２０を防音用クッション材６０で直接包み込むことにより、エアポンプ２０の動作音の伝播を大幅に抑えることができる。
【００３２】
ここで椅子式マッサージ機１におけるエアポンプ２０の動作音の周囲への伝播について吟味するに、座部２の下方の左右両側は、左右の側板８で塞がれているのが一般的であるのに対して、座部下方の前後方向（この実施例では後方）は、開放されているのが一般的であり、この開放されている側から動作音が周囲へ漏れやすい。そこで、帯状の防音用クッション材６０を、エアポンプ２０の前後方向に包み込むことにより、動作音が漏れやすい方向をクッション材６０で覆い、効果的にエアポンプ２０の動作音を防音することができる。
【００３３】
エアポンプ２０の振動の取付板５０への伝播は、段付クッションからなる取付脚６３により吸収されるが、さらにエアポンプ２０と取付板５０との間に防音用クッション材６０の両端部が介在されるので、この防音用クッション材６０によっても振動を吸収することができ、エアポンプの動作時における振動をより吸収できて、取付板５０に伝播するのを抑制することができる。その結果、回路基板２３へ伝わる振動を弱め、回路基板２３を保護することができる。
【００３４】
このように本実施例におけるマッサージ機は、エアポンプ２０による動作音の大幅な軽減が可能であると共に、エアポンプ２０による振動の伝播も軽減でき、静かで快適なマッサージが受けられるものである。
【００３５】
なお、以上の説明は椅子式マッサージ機について述べたが、エアポンプを防音用クッション材で包み込む技術は、エアポンプを使用している全てのタイプのマッサージ機に用いることができる。
【図面の簡単な説明】
【００３６】
【図１】本発明の実施例として示した椅子式マッサージ機の右前方から見た斜視図である。
【図２】同マッサージ機の左後方から左側の側板を外した状態の斜視図である。
【図３】同マッサージ機の制御ボックスの斜視図である。
【図４】同制御ボックスの縦断面図と、その円内拡大図である。
【図５】同制御ボックスに用いられるホルダーの斜視図である。
【図６】同マッサージ機のエアポンプ等を取付けた状態の取付板の斜視図である。
【図７】防音用クッション材に包まれたエアポンプと取付板の分解斜視図である。
【符号の説明】
【００３７】
２０    エアポンプ
２      座部
１      椅子式マッサージ機
６０    防音用クッション材
６３    取付脚
６４    穴
５０    取付板
【図１】
2007190171.tif 000003
【図２】
2007190171.tif 000004
【図３】
2007190171.tif 000005
【図４】
2007190171.tif 000006
【図５】
2007190171.tif 000007
【図６】
2007190171.tif 000008
【図７】
2007190171.tif 000009